【事件の表示】
　特許第２７８２８７３号「魚釣り用電動リール」の請求項１ないし２に係る特許に対する特許異議の申立てについて、次のとおり決定する。
【結論】
　訂正を認める。
　特許第２７８２８７３号の請求項１に係る特許を維持する。
【理由】
（１）手続の経緯
　特許第２７８２８７３号の請求項１及び請求項２に係る発明は、平成１年１２月２７日に特許出願され、平成１０年５月２２日にその特許の設定登録がなされたところ、株式会社シマノより特許異議の申立てがなされ、平成１１年４月１９日付けで取消理由通知がなされ、その指定期間内である平成１１年７月２１日に訂正請求がなされたものである。
（２）訂正の適否についての判断
ア．訂正の内容
▲１▼訂正事項ａ．
　特許請求の範囲の請求項１中の「コントロール手段を有した魚釣り用電動リール」を、
「コントロール手段と、巻き上げ駆動時のパルスデューティ比を任意の段階に変更し、スプールの回転数を任意の段階に調整できるパルスデューティ変更手段と、前記パルスデューティ変更手段により選択されたパルスデューティ比を記憶する記憶手段とを有した魚釣り用電動リール」と訂正する。
▲２▼訂正事項ｂ．
　明細書第４頁第１７〜１８行の「コントロール手段から構成されている。」を、
「コントロール手段と、巻き上げ駆動時のパルスデューティ比を任意の段階に変更し、スプールの回転数を任意の段階に調整できるパルスデューティ変更手段と、前記パルスデューティ変更手段により選択されたパルスデューティ比を記憶する記憶手段とから構成されている。」と訂正する。
イ．訂正の目的の適否、新規事項の有無及び拡張・変更の存否
　上記訂正事項ａは、特許請求の範囲の減縮に該当する。
　上記訂正事項ｂは、特許請求の範囲の記載と発明の詳細な説明の記載とを整合させるものであって、明瞭でない記載の釈明に該当する。
　そして、これらの訂正事項は、願書に添付した明細書又は図面に記載された事項の範囲内のものであって、実質的に特許請求の範囲を拡張又は変更するものではない。
ウ．独立特許要件の判断
　本件発明は、平成１１年７月２１日付け訂正請求書により訂正された訂正明細書の請求項１に記載されている次の事項により特定されるとおりのものである。
「（１）スプールを巻き上げ駆動するモータと、前記モータをｎ種類（ｎ≧２）のパルスデューティ比でオン，オフし駆動する駆動手段と、巻き上げ駆動を行うスイッチと、一定時間毎にオーバーフローするタイマ手段と、前記タイマ手段からのオーバーフロー信号により一定の加算すべきオン時間を出力する基準値出力手段と、前記基準値出力手段より出力された値だけ駆動中のパルスデューティ比のオン時間を長くし、オフ時間を短くして前記モータ駆動手段に出力するパルスデューティ比制御手段と、前記スイッチのオフ時に前記タイマ手段と前記パルスデューティ比制御手段ヘリセット信号を出力し、前記スイッチオン時にスタート信号を出力するコントロール手段と、巻き上げ駆動時のパルスデューティ比を任意の段階に変更し、スプールの回転数を任意の段階に調整できるパルスデューティ変更手段と、前記パルスデューティ変更手段により選択されたパルスデューティ比を記憶する記憶手段とを有した魚釣り用電動リール。」
　本件の請求項１に係る発明に対して、当審は平成１１年４月１９日付けで特許法第２９条第２項の規定を理由とする取消理由を通知したところ、上記訂正請求により本件の特許査定時の請求項１は実質的に削除されたので、本件の訂正明細書の請求項１に係る発明の独立特許要件については、後述の（３）に記載のとおりである。
エ．むすび
　以上のとおりであるから、上記訂正は、特許法第１２０条の４第２項の規定に適合し、同条第３項で準用する第１２６条第２−４項の規定に適合するので、上記訂正を認める。
（３）特許異議申立てについての判断
ア．本件発明
　本件の請求項１に係る発明（以下「本件発明」という。）は、平成１１年７月２１日付け訂正請求により訂正された訂正明細書の請求項１に記載される事項により特定されるとおりのものである（（２）ウ．を参照）。
イ．申立ての理由の概要
　申立人は、本件発明は、甲第１号証（特開昭５８−１５２４３１号公報）、甲第２号証（特開昭６３−２３００２６号公報）、甲第３号証（特開昭５４−１４５９１３号公報）に記載された発明に基づいて、当業者が容易に発明をすることができたものであり、特許法第２９条第２項の規定に該当し、同法第１１３条第１項第２号の規定により特許を取り消されるべきと主張している。
　甲各号証には次の事項が記載されている。
　甲第１号証には、魚釣り用電動リールの制御装置に関し、「次にステップＳ２５に移行してモータ１０の巻上げ速度が高速か否かを判定し、高速と判定されたときは、次のステップＳ２６において巻上げ初期の所定の長さ、例えば５ｍ分だけ巻上げモータ１０の巻上げ速度を低速で動作させ、これにより仕掛けにかかっている魚の口切れを防止する。また、高速でない、即ち低速と判定された場合は、その設定された低速度で初期時から巻上げ動作させ、ステップＳ２８へ移行する。・・・低速での初期巻上げ糸長が５ｍに達すると、ステップＳ２７に移行して巻き上げモータ１０の速度をキーボード２６のファンクションキー「高」で設定した巻上げ速度に自動的に切替え、巻上げモータ１０を設定速度で駆動」（第６頁右下欄第１行〜第１６行）することが、
　甲第２号証には、魚釣り用電動リールの速度制御手段に関して、「比較増幅器７で、基準用固定抵抗４、ポテンショメータ５よりの決められた電圧と電源よりの出力電圧とが比較され、この比較増幅器７より出た信号は、コンパレータ８に入力接続され第２図で図示するコンパレータ８入力波Ｂのように、ポテンショメータ５の基準電圧に比例して上昇する。一方のこぎり波発振器６よりの信号は第２図のＡに図示のように所定の周波数で発振し、コンパレータ８に入力する。これらの信号をコンパレータ８で比較すると第２図のＣに図示の波形が形成される。スイッチングトランジスタ１２は、ドライブトランジスタ１１、抵抗１０を介して、前記第２図のＣで示すパルス電圧により動作する。第２図Ｃで図示する波形信号は、通常ＰＷＭ（パルス幅変調）と呼ばれるもので、通常パルスの周期および振幅は一定で、その幅だけを変調電圧に応じて変化させたものである。このＰＷＭのパルス幅変調に応じてスイッチングトランジスタ１２はＯＮ、ＯＦＦとなり、モータ１４の回転を制御するから、魚釣り用電動リールの速度を適宜に制御可能となすものである。」（第２頁右上欄第１６行〜左下欄第１６行）ことが、
　甲第３号証には、「出力の発生と停止を交互に繰り返すと共に該出力発生時間のデューティを可変する可変装置を有するタイマー回路を設け、電動機への交流電力供給時間を可変する事によって該電動機の速度を可変する電動機の速度制御装置を提供する」（第１頁右下欄第７行〜第１１行）ことが記載されている。
ウ．判断
　上記甲１〜３号証に記載された発明は、本件発明を特定する「前記パルスデューティ変更手段により選択されたパルスデューティ比を記憶する記憶手段」を備えておらず、また、これを示唆する記載も認められない。本件発明は、上記手段を備えることにより、「口切れを起こし易い魚が釣れた場合でも、巻き上げスプールの回転を徐々に早くしていくことにより、口切れを起こし魚が逃げてしまうことなく釣り上げることができると共に、同じ棚でほぼ同じ種類、大きさの魚を釣り上げる時に、スプールの回転速度を記憶させることによりその速度で繰り返し釣り上げ操作が可能となる」という顕著な効果を奏するものであるから、本件発明は、これら甲各号証に基づいて、当業者が容易に発明をすることができたものとすることはできない。
エ．むすび
　以上のとおりであるから、特許異議申立ての理由及び証拠によっては、本件発明の特許を取り消すことはできない。
　また、他に本件発明の特許を取り消すべき理由を発見しない。
　よって、結論のとおり決定する。
【異議決定日】
平成１１年１１月９日（１９９９．１１．９）
【訂正の要旨】
　　　　訂正の要旨
　特許第２７８２８７３号発明の明細書を次のとおり訂正する。
▲１▼訂正事項ａ．
　特許請求の範囲の請求項１中の「コントロール手段を有した魚釣り用電動リール」を、特許請求の範囲の減縮を目的として、
「コントロール手段と、巻き上げ駆動時のパルスデューティ比を任意の段階に変更し、スプールの回転数を任意の段階に調整できるパルスデューティ変更手段と、前記パルスデューティ変更手段により選択されたパルスデューティ比を記憶する記憶手段とを有した魚釣り用電動リール」と訂正する。
▲２▼訂正事項ｂ．
　明細書第４頁第１７〜１８行の「コントロール手段から構成されている。」を、明りょうでない記載の釈明を目的として、
「コントロール手段と、巻き上げ駆動時のパルスデューティ比を任意の段階に変更し、スプールの回転数を任意の段階に調整できるパルスデューティ変更手段と、前記パルスデューティ変更手段により選択されたパルスデューテイ比を記憶する記憶手段とから構成されている。」と訂正する。
（５４）【発明の名称】
魚釣り用電動リール
（５７）【特許請求の範囲】
　（１）スプールを巻き上げ駆動するモータと、前記モータをｎ種類（ｎ≧２）のパルスデューティ比でオン，オフし駆動する駆動手段と、巻き上げ駆動を行うスイッチと、一定時間毎にオーバーフローするタイマ手段と、前記タイマ手段からのオーバーフロー信号により一定の加算すべきオン時間を出力する基準値出力手段と、前記基準値出力手段より出力された値だけ駆動中のパルスデューティ比のオン時間を長くし、オフ時間を短くして前記モータ駆動手段に出力するパルスデューティ比制御手段と、前記スイッチのオフ時に前記タイマ手段と前記パルスデューティ比制御手段ヘリセット信号を出力し、前記スイッチオン時にスタート信号を出力するコントロール手段
と、巻き上げ駆動時のパルスデューティ比を任意の段階に変更し、スプールの回転数を任意の段階に調整できるパルスデューティ変更手段と、前記パルスデューティ変更手段により選択されたパルスデューティ比を記憶する記憶手段と
【発明の詳細な説明】
　産業上の利用分野
　本発明は、魚釣りに用いられる電動リールに関するものである。
　従来の技術
　近年、魚釣りが盛んになるにつれて、魚釣り用電動リールについても魚が釣れた時、魚の口切れを起こして逃がさないようにしながらすばやく釣り上げるといった高機能化が要望されてきている。
　従来、この種の魚釣り用電動リールは第２図に示すように逆接防止用ダイオード２１とスプールを巻き上げ駆動するモータ２２と、道糸を巻き上げるためのスイッチ２３と、前記スイッチ２３の入力を認識し、前記モータ２２を駆動するモータ駆動手段２４からなっていた。
　以上のように構成された魚釣り用電動リールについて以下、その動作について説明する。
　まず道糸を繰り出し、魚が釣れる棚位置まで仕掛けを下ろす。この時、魚が釣れると巻き上げスイッチ２３を押しモータ駆動手段２４はこれを受けモータ２２を駆動し道糸を巻き上げてなるものである。
　発明が解決しようとする課題
　しかしながら前記の従来の構成では、第３図ａに示すように巻き上げ用スイッチを押した瞬間、スプールの回転数が最大となるため、いきなり早い速度で巻き上げることになり釣った魚の口切れを起こし、魚を逃がしてしまうという問題点があった。
　本発明は前記従来の問題点を解決するもので、巻き上げ用スイッチを押すとモータに印加する電圧をオン，オフすることにより、駆動する制御のうちオン時間をゼロから段階的に長くし、スプールを徐々に巻き上げるようにしたものである。
　このことにより口切れを起こしやすい魚を釣り上げる時も、口切れで魚が逃げてしまうことのない様にした魚釣り用電動リールを提供することを目的としたものである。
　課題を解決するための手段
　この目的を達成するために本発明の魚釣り用電動リールは、モータをｎ種類（ｎ≧２）のパルスデューティ比でオン，オフし駆動する駆動手段と、一定時間毎にオーバーフローするタイマ手段と、前記タイマ手段からのオーバーフロー信号により、一定の加算すべきオン時間を出力する基準値出力手段と、前記基準値出力手段より出力された値だけ駆動中のパルスデューティ比のオン時間を長くし、オフ時間を短くし、前記モータ駆動手段に出力するパルスデューティ比制御手段と、スイッチオフ時には前記タイマ手段と前記パルスデューティ比制御手段ヘリセット信号を出力し、スイッチオン時にはスタート信号を出力するコントロール手段
と、巻き上げ駆動時のパルスデューティ比を任意の段階に変更し、スプールの回転数を任意の段階に調整できるパルスデューティ変更手段と、前記パルスデューティ変更手段により選択されたパルスデューティ比を記憶する記憶手段と
　作用
　この構成により、魚が釣れ巻き上げを行う時に、モータに印加する電圧をオン，オフすることにより駆動する制御のうち、オン時間をゼロから段階的に長くし、スプールを徐々に巻き上げることができるので、口切れを起こしやすい魚を釣り上げた時も、口切れで魚が逃げてしまうことのないようにすることが可能である。
　実施例
　以下、本発明の一実施例について図面を参照しながら説明する。第１図において、１は逆接防止用ダイオードであり、これは電源電池に接続されている。２は制御系回路に対して安定電源を供給するための安定化電源回路、３は道糸巻取り時のスプール駆動用モータである。４はモータ３を駆動するモータ駆動手段であり、５は一定時間毎にオーバーフローするタイマ手段であり、６は前記タイマ手段からのオーバーフロー信号により、一定の加算すべきオン時間を出力する基準値出力手段である。７は前記出力手段より出力された値だけ駆動中のパルスデューティ比のオン時間を長くし、オフ時間を短くし、前記モータ駆動手段に出力するパルスデューティ比制御手段である。８はスプールの巻き上げ駆動を行うスイッチであり、９は前記スイッチがオフの時、前記タイマ手段と前記パルスデューティ比制御手段ヘリセット信号を出力し、前記スイッチが押された時、スタート信号を出力するコントロール手段である。１０はスプールの回転速度を一定の位置に変更するためのパルスデューティ比変更手段、１１は前記スプールの回転速度を一定の位置に記憶させるためのパルスデューティ比記憶手段である。
　以上のように構成された魚釣り用電動リールについて、以下にその動作を説明する。
　まず道糸を繰り出し魚が釣れる棚位置まで仕掛けを下ろす。この時、スイッチ８はオフ状態となっているのでタイマ手段５とパルスデューティ比制御手段７はリセットされており、モータ３は停止状態にある。また、タイマ手段５はボリュームにより２００ｍｓごとにオーバーフローするように設定されており、基準値出力手段６から出力される時間はボリュームにより１０μｓに設定されており、パルスデューティ比制御手段７のパルス周期は２５０μｓとする。この状態で魚が釣れスプールを巻き上げるためにスイッチ８を押すと、これをコントロール手段９が認識し、タイマ手段５とパルスデューティ比制御手段７にスタート信号を発生する。これによりパルスデューティ比制御手段７は初期値であるオン時間１０μｓ，オフ時間２４０μ　ｓのパルスをモータ駆動手段４に出力し、モータ駆動手段４はこのタイミングでモータを回転させる。これと同時にタイマ手段ではカウントアップが開始され、２００ｍｓ後にオーバーフロー信号を発生する。これを受けて基準値出力手段では１０μｓを出力し、パルスデューティ比制御手段７はこれを認識し、オン時間に１０μｓを加算し、オン時間２０μｓ，オフ時間２３０μｓのパルスをモータ駆動手段に出力し、スプールを巻き上げ方向に回転する。この動作をタイマ手段５がオーバーフローするごとに繰返し最終的にパルスデューティ比のオン時間が１００％になり、パルスデューティ比制御手段７はタイマ手段５に対して停止指令を出す。この状態を第３図ｂに表わす。縦軸はスプールの回転数、横軸はスイッチオンからの経過時間である。
　この後、魚を釣り上げるのにパルスデューティ比変更手段１０により、ターゲットとする魚の最も適正なスプールの回転速度に調整し、魚を釣り上げると共にその時の前記パルスデューティ比がパルスデューティ比記憶手段１１に記憶され、次回から道糸を繰り出し巻き上げ動作を行う時は、前記、記憶手段により記憶されたスプールの回転数まで徐々に増加していく。そして例えば第３図ｂに示すＡ点の回転速度を記憶させたとするとその位置の回転速度でスプールを巻き上げ、繰り返し使用できるようになる。
　以上のように本実施例によれば、口切れを起こしやすい魚が釣れ、これを釣り上げるためスプールを巻き上げる場合でも、第３図ｂに示すように回転数を徐々に早くしていくとこができる。
　発明の効果
　以上のように本発明は、魚釣り用電動リールの道糸巻き上げ動作において、口切れを起こし易い魚が釣れた場合でも、巻き上げスプールの回転を徐々に早くしていくことにより、口切れを起こし魚が逃げてしまうことなく釣り上げることができると共に、同じ棚でほぼ同じ種類、大きさの魚を釣り上げる時に、スプールの回転速度を記憶させることによりその速度で繰り返し釣り上げ操作が可能となる。
【図面の簡単な説明】
　第１図は本発明の魚釣り用電動リールの制御回路の一実施例を示す回路図、第２図は従来例の電動リールを示す回路図、第３図ａは従来例の電動リールの回転開始時の回転数特性を示す図、第３図ｂは本発明の魚釣り用電動リールの回転数特性を示す図である。
　１……逆接防止用ダイオード、２……安定化電源回路、３……駆動用モータ、４……モータ駆動手段、５……タイマ手段、６……基準値出力手段、７……パルスデューティ比制御手段、８……スイッチ、９……コントロール手段、１０……パルスデューティ比変更手段、１１……パルスデューティ比記憶手段。